(57)【要約】      （修正有）【課題】調整コンクリートが最小厚さの場合であっても凹条か凸条帯、または粗面帯によって両側隅角部と内底面とで拘束固定されて付着一体が向上し、浮力や側溝ブロック継目部分に対しても安定しさらに維持管理に適合した側溝構造となる自由勾配兼用有底側溝を提供する。【解決手段】Ｕ形側溝、ボックス側溝等プレキャストコンクリート有底側溝の内底に、必要に応じ調整コンクリート６をあと打ちする自由勾配施工側溝であって、内底面４へのあと打ちコンクリートの剥離滑脱が生じなく付着が安定するとともに、調整コンクリート６の有無にかかわらず水流を阻害しない通水内面を維持するため、通水内底両側の隅角曲面部５全長にわたり凹条帯１１または凸条帯１２を形成してなり、あと打ち調整コンクリート６を両側隅角部と内底面４の三面のみで拘束する自由勾配兼用有底側溝。【選択図】図１
2013124542.tif 000002
【特許請求の範囲】
【請求項１】
Ｕ形側溝、ボックス側溝等プレキャストコンクリート有底側溝の内底に、必要に応じ調整コンクリートをあと打ちする自由勾配施工側溝であって、内底面へのあと打ちコンクリートの剥離滑脱が生じなく付着が安定するとともに、調整コンクリートの有無にかかわらず水流を阻害しない通水内面を維持するため、通水内底両側の隅角曲面部全長にわたり凹条帯または凸条帯を形成してなり、あと打ち調整コンクリートを両側隅角部と内底面の三面のみで拘束することを特徴とする自由勾配兼用有底側溝。
【請求項２】
通水内底両側の隅角曲面部全長にわたり粗面帯を配設してなり、あと打ち調整コンクリートを両側隅角部と内底面の三面のみで拘束することを特徴とする請求項１記載の自由勾配兼用有底側溝。
【発明の詳細な説明】
【技術分野】
【０００１】  本発明は、道路の排水施設としてＵ形側溝、上面の一部を開口したボックス側溝等の内底に必要に応じて調整コンクリートを打つ自由勾配兼用の有底側溝に関する。
【背景技術】
【先行技術文献】
【０００２】  従来、自由勾配側溝は門形で無底のプレキャストコンクリート側溝ブロックを用い、コンクリートベース上に布設してから内底部を必要な水路勾配に形成するため一定厚さ以上の調整コンクリートを現場打する工法が用いられている。
この従来工法はもっぱら自由勾配施工を目的としているが、側溝ブロックが門形で底面が無く先施工のベースコンクリートが不可欠で工期が長く工事費も割高で、無底のため漏水に対して不安全とされることもある。
一方、有底の側溝ブロックによるＵ形側溝やボックス側溝等では、もっぱら固定勾配を目的としつつも通常の固定勾配施工を延長しそのまま一部を自由勾配施工とすることがあり、内底の両隅角間に従来の無底側溝に準じて一般に最小厚さ５ｃｍ以上の調整コンクリート打ちとしている。
Ｕ形側溝やボックス側溝の場合、有底のため漏水に対して安全で先施工のベースコンクリート不要により割安などの利点があるものの、調整コンクリートは水流による浮力やブロック継目に生じやすい屈曲に対しプレキャストコンクリート一般品の場合側溝ブロック内底磨面との付着が安定せず、とくに最小厚さ５ｃｍ近くでは両側が隅角部に面し上開きの皿形状となるので拘束がなく維持管理におけるスコップの衝撃等で剥離滑脱が生じたり圧水噴射清掃にも適合しないことがある。
そのため、有底側溝ブロックの底面に凹部や開口部を設けたり、開口部に鉄筋を露出させる等調整コンクリートとの一体化安定を高める改良もすすめられているが、一般品との併用には不向きな特殊品となり、普及するに至っていない。
【０００３】
【特許文献１】  特開２００２−２３５３６５号公報
【発明の概要】
【発明が解決しようする課題】
【０００４】  Ｕ形側溝、ボックス側溝等底面付きの側溝ブロックは一般に固定勾配施工専用として普及しているが、そのままでも調整コンクリートによる自由勾配施工に適合し、特殊品を用いることなく兼用できるものとする。
そのため有底側溝において、側溝内底面へのあと打ち調整コンクリートが最小厚さ近くにおいて両隅角間に皿形状で上方に抜けやすく形成された場合でも拘束が生じ、水流による浮力やブロック継目の微小屈曲、さらに維持管理時の衝撃に対しても剥離滑脱がなく安定し、付着一体が維持されるものとする。
【課題を解決するための手段】
【０００５】  前記課題を解決するため本発明の有底コンクリート側溝の構造は、
通水内底両側の隅角曲面部全長にわたり凹条もしくは凸条帯を形成するか、または粗面帯を配設し、調整コンクリートの両側が隅角部面に固定硬化し付着とグリップを安定向上させるものである。
【０００６】  凹条か凸条帯または粗面帯は通水内底面両側の隅角曲面に左右対称に配置されるが、側溝本体ブロック個別の上下流向きに関係なく布設後の側溝延長に沿って凹条か凸条帯、または粗面帯が連続ないし断続するものとし、調整コンクリート打の無い場合でも、凹条か凸条帯または粗面帯とも側溝内底両側の隅角曲面のみにあって水流に沿い阻害しないので通水能力が維持されるものである。
【発明の効果】
【０００７】  自由勾配施工において、調整コンクリートが最小厚さの場合であっても凹条か凸条帯、または粗面帯によって両側隅角部と内底面とで拘束固定されて付着一体が向上し、浮力や側溝ブロック継目部分に対しても安定しさらに維持管理に適合した側溝構造となる。
側溝本体が有底構造のため、施工上ベースコンクリート不要で工期が短縮し、底部からの漏水も生じないものとなる。
【０００８】  凹条か凸条帯または粗面帯の位置は側溝内底や両側壁内面に無く、隅角部分のみに限定されて、水流を阻害するものでなく、側溝延長内で調整コンクリート打の有無が混在する兼用においても支障が生じなく、従来の一般流通品との併用も差支えない。
【０００９】  側溝内底面の両側隅角曲面への凹条か凸条帯または粗面帯形成は従来通りの製造工程のためコストアップがない。
【図面の簡単な説明】
【００１０】
【図１】  落し蓋側溝ブロックによる有底自由勾配施工の実施例を示す切欠斜面図である。
【図２】  図１のＡ〜Ａ線にそった断面図で、左半部は調整コンクリート打ちのない施工であり、右半部は勾配調整コンクリート打ちした施工断面である。
【図３】  図１の落し蓋側溝ブロックによる有底側溝の斜面図である。
【図４】  Ｕ形側溝ブロック及び掛蓋による有底側溝の斜面図である。
【図５】  上面の一部を開口したボックス側溝及び落し蓋による有底側溝の斜面図である。
【発明を実施するための形態】
【００１１】  Ｕ形側溝、ボックス側溝は一般に通水断面内幅の規格上部３０〜４０ｃｍで下部がやや狭く、内底隅角部は半径５ｃｍ前後の曲面、内高１０ｃｍ刻みで３０〜１２０ｃｍ、側壁は上部より下部で厚く外圧荷重に対応する断面とし、長さ１ｍ、２ｍ等のプレキャストコンクリートとして供給されるもので、基礎上に固定勾配で布設され自由勾配施工ではその通水断面内底に両側隅角部を含む厚さを最小５〜最大１５ｃｍ程度の調整コンクリートをあと打ちする。
固定勾配施工と併用し必要に応じ調整コンクリートをあと打ちする有底側溝は、通水内底両側の隅角曲面部全長にわたり凹条か凸条帯または粗面帯を配設するものであるが、隅角部が曲面でなく直線、ハンチ状でも同じである。
【００１２】  凹条帯及び凸条帯は隅角部の全長に沿って内底から隅角上縁近辺までの高さ以下におおむね断面幅１０〜３０ｍｍ深さ２〜６ｍｍの抜テーパー付台形、三角か半円状等とし、あと打ち調整コンクリートの側部が当接し、上方にスリップできないものに形成される。
なお丸形等のくぼみあるいはふくらみを直列して凹条帯、凸条帯としてもよい。
【００１３】  粗面帯は隅角部の全長に沿って表面上のおおむね３ｍｍ以下の山谷で且つ容易に型枠からの剥離脱型が出来る条件、または粗目砂等の粗面材や粗面模様付きのシートなどを型枠内に設置してからコンクリートを投入し養成後コンクリートからシートを外し反転した表面で粗面を得る方法、での荒目モルタル仕上状、ゼロスランプコンクリート仕上状、凸か凹のドット集合状、洗い出し仕上状等とし、あと打ち調整コンクリートがスリップしないものに形成する。
なお縞鋼板のノンスリップやタイル模様、ほうき目等を粗面とすることでもよく凹凸いずれでも適合する。
【００１４】  凹条帯及び凸条帯または粗面帯は側溝内底両側の隅角曲面のみに形成され調整コンクリートとの接合面は高い摩擦によって上方へ滑脱することが無いので、両側壁立上り内面や内底平坦面が従来のプレキャストコンクリート一般品と同じ磨面のまま付着が安定しない条件においても、あと打ち調整コンクリートは上面開放の三面のみで拘束固定され一体碇着する。
【実施例】
【００１５】  図１に実施例の施工状態を示す。
（１）は落し蓋側溝ブロックによる蓋受小段（７）付きの有底側溝、（２）は落し蓋である。
有底側溝（１）は図１、図２、図３に示すとおり内底面（４）の両側の隅角曲面部（５）（５）に凹条帯（１１）（１１）が配設されている。有底側溝（１）は、上面を道路に合わせて基礎（２０）の上に固定勾配で布設する。
そして排水勾配に合わせて調整コンクリート（６）を打設し、有底自由勾配側溝を構築する。
有底側溝（１）は内底面（４）両側の隅角曲面部（５）（５）に形成した凹条帯（１１）の全長にわたってあと打ち調整コンクリート（６）を両側で固定し、スリップが生じなく上方に向って皿形状にひろがる通水断面の内底で、上面が開放され両隅角曲面部（５）（５）と内底面（４）の三面のみの拘束であっても上方へ滑脱せず碇着を強化する構造となっている。【００１６】  図４に別の側溝ブロック実施例を示す。
（１）はＵ形側溝ブロックによる有底側溝、（３）は掛蓋である。
有底側溝（１）は内底面（４）両側の隅角曲面部（５）、（５）に形成した凸条帯（１２）の全長にわたってあと打ち調整コンクリートを通水断面の内底において両隅角曲面部（５）（５）と内底面（４）の三面のみで拘束するものとなっている。【００１７】  図５にさらに別の側溝ブロック実施例を示す。
（１）はボックス側溝による上面一部開口の有底側溝で、上面は蓋受小段（７）付きの開口部（８）と上版（９）とて形成され、（２）は落し蓋である。
有底側溝（１）は内底面（４）両側の隅角曲面部（５）（５）に配設した粗面帯（１３）（１３）の全長にわたってあと打ち調整コンクリートを通水断面の内底において両隅角曲面部（５）（５）と内底面（４）の三面のみで拘束するものとなっている。
【産業上の利用可能性】
【００１８】  本発明の有底側溝は、固定勾配のみの施工にも適合し、従来の一般流通製品との混用も差支えなく、また調整コンクリートあと打ち部は維持管理においても圧水噴射等清掃に支障が生じることもなく普及面での制約は生じない。
さらに、型枠も従来からの一般品と同一であるため、生産供給においても在来の道路用コンクリート製品と同等に安価に流通する。
【符号の説明】
【００１９】１    有底側溝
２    落し蓋
３    掛蓋
４    内底面
５    隅角曲面部
６    調整コンクリート
７    蓋受小段
８    開口部
９    上版
１１  凹条帯
１２  凸条帯
１３  粗面帯
２０  基礎
【図１】
2013124542.tif 000003
【図２】
2013124542.tif 000004
【図３】
2013124542.tif 000005
【図４】
2013124542.tif 000006
【図５】
2013124542.tif 000007